(57)【要約】【課題】ブログの体裁やニュアンスなどをブロガーの意図したものとしつつも、商品のアフィリエイトシールを当該商品を使用した感想を語る記事とともにブログに掲載することを可能にする広告装置などを提供する。【解決手段】商品に関する記事をブログに掲載するブロガー端末にネットワークを介して接続された広告装置であって、前記ブロガー端末に対して、前記商品を識別する商品ＩＤを送信する手段と、前記商品ＩＤを受信したブロガー端末から、当該商品ＩＤにより識別される商品についての試供品の配送を要求する試供品配送要求を受信する手段と、前記試供品配送要求を送信したブロガー端末に対して、当該試供品配送要求により試供品の配送を要求された商品についてのアフィリエイトシールを送信する手段と、を備えたことを特徴とする広告装置である。【選択図】図１
2011237892.tif 000002
【特許請求の範囲】
【請求項１】
商品に関する記事をブログに掲載するブロガー端末にネットワークを介して接続された広告装置であって、
前記ブロガー端末に対して、前記商品を識別する商品ＩＤを送信する手段と、
前記商品ＩＤを受信したブロガー端末から、当該商品ＩＤにより識別される商品についての試供品の配送を要求する試供品配送要求を受信する手段と、
前記試供品配送要求を送信したブロガー端末に対して、当該試供品配送要求により試供品の配送を要求された商品についてのアフィリエイトシールを送信する手段と、
を備えたことを特徴とする広告装置。
【請求項２】
前記アフィリエイトシールは、前記ブロガー端末のブログに掲載された記事を閲覧しているユーザ端末を所定の装置を経由して商品販売者装置へアクセスさせるものであること特徴とする請求項１に記載の広告装置。
【請求項３】
前記アフィリエイトシールは、前記ブロガー端末のブログに掲載された記事を閲覧しているユーザ端末を画面遷移を生じさせることなく所定の装置へアクセスさせるものであることを特徴とする請求項１に記載の広告装置。
【請求項４】
商品に関する記事をブログに掲載するブロガー端末と、当該ブロガー端末にネットワークを介して接続された請求項１〜請求項３のいずれか１項に記載の広告装置と、を備えたことを特徴とする広告システム。
【発明の詳細な説明】
【技術分野】
【０００１】
本発明は、ネットワークを用いた広告に関する。
【背景技術】
【０００２】
従来、ネットワーク上の装置が、ブロガーから商品のレビューを受信し、この受信したレビューに対して当該商品の購買ページへのリンクなどを追加し、当該ブロガーのブログとして提供するシステムが提案された（特許文献１）。
【０００３】
このシステムによると、レビューの作成後に発生する商品購買などに応じた報酬がブロガーに対して支払われるため、記事の執筆に対する報酬をブロガーに支払うことなく、商品をブログで紹介することについてのインセンティブをブロガーに付与することが可能となる。
【先行技術文献】
【特許文献】
【０００４】
【特許文献１】特開２００８−２８７７２１号公報
【発明の概要】
【発明が解決しようとする課題】
【０００５】
しかしながら、上記のシステムでは、購買ページへのリンクなどの追加によって、ブログの体裁やニュアンスなどがブロガーの意図したものではなくなってしまう可能性があった。
【０００６】
そこで、本発明は、ブログの体裁やニュアンスなどをブロガーの意図したものとしつつも、商品のアフィリエイトシールを当該商品を使用した感想を語る記事とともにブログに掲載することを可能にする広告装置及び広告システムを提供することを目的とする。
【課題を解決するための手段】
【０００７】
本発明によれば、上記課題は、次の手段により解決される。
【０００８】
本発明は、商品に関する記事をブログに掲載するブロガー端末にネットワークを介して接続された広告装置であって、前記ブロガー端末に対して、前記商品を識別する商品ＩＤを送信する手段と、前記商品ＩＤを受信したブロガー端末から、当該商品ＩＤにより識別される商品についての試供品の配送を要求する試供品配送要求を受信する手段と、前記試供品配送要求を送信したブロガー端末に対して、当該試供品配送要求により試供品の配送を要求された商品についてのアフィリエイトシールを送信する手段と、を備えたことを特徴とする広告装置である。
【０００９】
また、本発明は、前記アフィリエイトシールが、前記ブロガー端末のブログに掲載された記事を閲覧しているユーザ端末を所定の装置を経由して商品販売者装置へアクセスさせるものであること特徴とする広告装置である。
【００１０】
また、本発明は、前記アフィリエイトシールが、前記ブロガー端末のブログに掲載された記事を閲覧しているユーザ端末を画面遷移を生じさせることなく所定の装置へアクセスさせるものであることを特徴とする広告装置である。
【００１１】
また、本発明は、商品に関する記事をブログに掲載するブロガー端末と、当該ブロガー端末にネットワークを介して接続された広告装置と、を備えたことを特徴とする広告システムである。
【発明の効果】
【００１２】
本発明によれば、ブログの体裁やニュアンスなどをブロガーの意図したものとしつつも、商品のアフィリエイトシールを当該商品を使用した感想を語る記事とともにブログに掲載することを可能にする広告装置及び広告システムを提供することができる。
【図面の簡単な説明】
【００１３】
【図１】本発明の実施形態に係る広告システムの概略構成を示す図である。
【図２】本発明の実施形態に係る広告装置の概略構成を示す図である。
【図３】ブロガーテーブルの概略構成を示す図である。
【図４】商品販売者テーブルの概略構成を示す図である。
【図５】商品テーブルの概略構成を示す図である。
【図６】アフィリエイトシールテーブルの概略構成を示す図である。
【図７】抽選テーブルの概略構成を示す図である。
【図８】広告システムの第１の動作例を説明する図である。
【図９】広告システムの第２の動作例を説明する図である。
【発明を実施するための形態】
【００１４】
以下に、添付した図面を参照しつつ、本発明を実施するための形態を説明する。
【００１５】
［広告システム］
図１は、本発明の実施形態に係る広告システムの概略構成を示す図である。図１に示すように、本発明の実施形態に係る広告システム１は、広告装置１０と、ブロガーにより利用されるブロガー端末２０と、商品販売者に利用される商品販売者装置３０と、ユーザに利用されるユーザ端末４０と、ブログを提供するＷｅｂサーバ５０と、を備えている。各装置は、インターネットなどのネットワークを介して接続されている。
【００１６】
本発明の実施形態に係る広告システム１では、ブロガー端末２０を利用するブロガーが、商品販売者から試供品の提供を受け、その提供を受けた試供品を使用して得た感想を記事としてブログに掲載する。
【００１７】
ブログは、Ｗｅｂサーバ５０から提供され、ユーザ端末４０は、Ｗｅｂサーバ５０からブログとしてのＷｅｂページを受信することにより、ブロガー端末２０を利用するブロガーにより執筆された記事を閲覧する。
【００１８】
ユーザ端末４０は、ブロガーにより執筆された記事を閲覧した後、直ちに、または時間をおいて、商品販売者装置３０から商品サイトを受信し、商品に関するさらなる情報を得たり、商品を購入したりする。
【００１９】
本発明の実施形態に係る広告システム１において、広告装置１０は、商品販売者により提供される商品についての試供品の配送を要求することを条件として、試供品の配送を要求された商品についてのアフィリエイトシールをブロガー端末２０のブロガーに対して提供する。
【００２０】
このため、本発明の実施形態に係る広告システム１によれば、ブロガー端末２０は、ブログを構成するＷｅｂページのうち試供品を使用して得た感想を語る記事を記載する領域に、当該記事により感想が語られる商品のアフィリエイトシールを貼り付けることができるようになる。
【００２１】
したがって、本発明の実施形態に係る広告システム１によれば、ブロガー端末２０が、ブログの体裁やニュアンスなどをブロガーの意図したものとしつつも、商品のアフィリエイトシールを当該商品を使用した感想を語る記事とともにブログに掲載することができるようになる。
【００２２】
以下、より詳細に説明する。
【００２３】
［広告装置］
図２は、本発明の実施形態に係る広告装置の概略構成を示す図である。図２に示すように、本発明の実施形態に係る広告装置１０は、ＣＰＵ１１と、ＲＡＭ１２と、ＲＯＭ１３と、各種のデータ及びプログラムが記憶されるハードディスクやフラッシュドライブなどの記憶手段１４と、ネットワークに接続されるネットワークインタフェースカード（ＮＩＣ）１５と、を備えている。
【００２４】
広告装置１０は、記憶手段１４に記憶されているプログラムをＣＰＵ１１で実行することにより、各種の処理を実行する。
【００２５】
［テーブル］
広告装置１０は、ブロガーテーブル、商品販売者テーブル、商品テーブル、アフィリエイトシールテーブル、及び抽選テーブルを記憶手段１４にそれぞれ記憶している。以下、順に説明する。
【００２６】
（ブロガーテーブル）
図３は、ブロガーテーブルの概略構成を示す図である。図３に示すように、ブロガーテーブルは、「ｂｌｏｇｇｅｒ＿ｉｄ」フィールドと、「ｂｌｏｇｇｅｒ＿ｎａｍｅ」フィールドと、「ｂｌｏｇｇｅｒ＿ｅｍａｉｌ」フィールドと、「ｂｌｏｇｇｅｒ＿ａｄｄｒｅｓｓ」フィールドと、「ｂｌｏｇｇｅｒ＿ｐｈｏｎｅ＿ｎｕｍｂｅｒ」フィールドと、「ｂｌｏｇ＿ｔｉｔｌｅ」フィールドと、「ｂｌｏｇ＿ｕｒｌ」フィールドと、を有している。
【００２７】
「ｂｌｏｇｇｅｒ＿ｉｄ」フィールド
「ｂｌｏｇｇｅｒ＿ｉｄ」フィールドには、ブロガーＩＤが記憶される。「ブロガーＩＤ」は、ブロガーを識別する番号である。
【００２８】
「ｂｌｏｇｇｅｒ＿ｎａｍｅ」フィールド
「ｂｌｏｇｇｅｒ＿ｎａｍｅ」フィールドには、ブロガーの氏名が記憶される。
【００２９】
「ｂｌｏｇｇｅｒ＿ｅｍａｉｌ」フィールド
「ｂｌｏｇｇｅｒ＿ｅｍａｉｌ」フィールドには、ブロガーの電子メールアドレスが記憶される。
【００３０】
「ｂｌｏｇｇｅｒ＿ａｄｄｒｅｓｓ」フィールド
「ｂｌｏｇｇｅｒ＿ａｄｄｒｅｓｓ」フィールドには、ブロガーの住所が記憶される。
【００３１】
「ｂｌｏｇｇｅｒ＿ｐｈｏｎｅ＿ｎｕｍｂｅｒ」フィールド
「ｂｌｏｇｇｅｒ＿ｐｈｏｎｅ＿ｎｕｍｂｅｒ」フィールドには、ブロガーの電話番号が記憶される。
【００３２】
「ｂｌｏｇ＿ｔｉｔｌｅ」フィールド
「ｂｌｏｇ＿ｔｉｔｌｅ」フィールドには、ブログのタイトルが記憶される。
【００３３】
「ｂｌｏｇ＿ｕｒｌ」フィールド
「ｂｌｏｇ＿ｕｒｌ」フィールドには、ブログのＵＲＬが記憶される。
【００３４】
（商品販売者テーブル）
図４は、商品販売者テーブルの概略構成を示す図である。図４に示すように、商品販売者テーブルは、「ｓｅｌｌｅｒ＿ｉｄ」フィールドと、「ｓｅｌｌｅｒ＿ｎａｍｅ」フィールドと、「ｓｅｌｌｅｒ＿ｃｏｎｔａｃｔ＿ｉｎｆｏｒｍａｔｉｏｎ」フィールドと、を有している。
【００３５】
「ｓｅｌｌｅｒ＿ｉｄ」フィールド
「ｓｅｌｌｅｒ＿ｉｄ」フィールドには、商品販売者ＩＤが記憶される。「商品販売者ＩＤ」は、商品販売者を識別する番号である。
【００３６】
「ｓｅｌｌｅｒ＿ｎａｍｅ」フィールド
「ｓｅｌｌｅｒ＿ｎａｍｅ」フィールドには、商品販売者の名称が記憶される。
【００３７】
「ｓｅｌｌｅｒ＿ｃｏｎｔａｃｔ＿ｉｎｆｏｒｍａｔｉｏｎ」フィールド
「ｓｅｌｌｅｒ＿ｃｏｎｔａｃｔ＿ｉｎｆｏｒｍａｔｉｏｎ」フィールドには、商品販売者の連絡先が記憶される。なお、本実施形態では、商品販売者の連絡先の一例として、商品販売者装置３０のＵＲＬを用いる。
【００３８】
（商品テーブル）
図５は、商品テーブルの概略構成を示す図である。図５に示すように、商品テーブルは、「ｇｏｏｄｓ＿ｉｄ」フィールドと、「ｇｏｏｄｓ＿ｎａｍｅ」フィールドと、「ｓｅｌｌｅｒ＿ｉｄ」フィールドと、「ｇｏｏｄｓ＿ｓｉｔｅ＿ｕｒｌ」フィールドと、を有している。
【００３９】
「ｇｏｏｄｓ＿ｉｄ」フィールド
「ｇｏｏｄｓ＿ｉｄ」フィールドには、商品ＩＤが記憶される。「商品ＩＤ」は、商品を識別する番号である。
【００４０】
「ｇｏｏｄｓ＿ｎａｍｅ」フィールド
「ｇｏｏｄｓ＿ｎａｍｅ」フィールドには、商品の名称が記憶される。
【００４１】
「ｓｅｌｌｅｒ＿ｉｄ」フィールド
「ｓｅｌｌｅｒ＿ｉｄ」フィールドには、商品販売者ＩＤが記憶される。
【００４２】
「ｇｏｏｄｓ＿ｓｉｔｅ＿ｕｒｌ」フィールドには、商品サイトのＵＲＬが記憶される。「商品サイト」は、商品販売者により販売される商品を購入などできるＷｅｂページである。本実施形態における「商品サイト」は、商品販売者装置３０から提供される。
【００４３】
（アフィリエイトシールテーブル）
図６は、アフィリエイトシールテーブルの概略構成を示す図である。図６に示すように、アフィリエイトシールテーブルは、「ｂｌｏｇｇｅｒ＿ｉｄ」フィールドと、「ｇｏｏｄｓ＿ｉｄ」フィールドと、「ａｆｆｉｌｉａｔｅ＿ｓｅａｌ」フィールドと、を有している。
【００４４】
「ｂｌｏｇｇｅｒ＿ｉｄ」フィールド
「ｂｌｏｇｇｅｒ＿ｉｄ」フィールドには、ブロガーＩＤが記憶される。
【００４５】
「ｇｏｏｄｓ＿ｉｄ」フィールド
「ｇｏｏｄｓ＿ｉｄ」フィールドには、商品ＩＤが記憶される。
【００４６】
「ａｆｆｉｌｉａｔｅ＿ｓｅａｌ」フィールド
「ａｆｆｉｌｉａｔｅ＿ｓｅａｌ」フィールドには、アフィリエイトシールが記憶される。
【００４７】
（抽選テーブル）
図７は、抽選テーブルの概略構成を示す図である。図７に示すように、抽選テーブルは、「ｂｌｏｇｇｅｒ＿ｉｄ」フィールドと、「ｇｏｏｄｓ＿ｉｄ」フィールドと、を有している。
【００４８】
「ｂｌｏｇｇｅｒ＿ｉｄ」フィールド
「ｂｌｏｇｇｅｒ＿ｉｄ」フィールドには、ブロガーＩＤが記憶される。
【００４９】
「ｇｏｏｄｓ＿ｉｄ」フィールド
「ｇｏｏｄｓ＿ｉｄ」フィールドには、商品ＩＤが記憶される。
［動作例］
【００５０】
次に、本発明の実施形態に係る広告システム１の動作例について詳細に説明する。
【００５１】
（第１の動作例）
図８は、本発明の実施形態に係る広告システムの第１の動作例を説明する図である。
以下、図８を参照しつつ、本発明の実施形態に係る広告システム１の第１の動作例について説明する。
【００５２】
・ステップＡ１
まず、ブロガー端末２０が、広告装置１０に対して、ブロガー端末２０を利用するブロガーの氏名、電子メールアドレス、住所、電話番号、及び当該ブロガーにより運営されるブログのタイトル、ＵＲＬを送信する。
【００５３】
・ステップＡ２
次に、広告装置１０が、ブロガーＩＤを生成し、この生成したブロガーＩＤと、受信したブロガーの氏名、電子メールアドレス、住所、電話番号、ブログのタイトル、及びＵＲＬを、ブロガーテーブルの「ｂｌｏｇｇｅｒ＿ｉｄ」フィールド、「ｂｌｏｇｇｅｒ＿ｎａｍｅ」フィールド、「ｂｌｏｇｇｅｒ＿ｅｍａｉｌ」フィールド、「ｂｌｏｇｇｅｒ＿ａｄｄｒｅｓｓ」フィールド、「ｂｌｏｇｇｅｒ＿ｐｈｏｎｅ＿ｎｕｍｂｅｒ」フィールド、「ｂｌｏｇ＿ｔｉｔｌｅ」フィールド、及び「ｂｌｏｇ＿ｕｒｌ」フィールドにそれぞれ記憶する。
【００５４】
・ステップＡ３
次に、広告装置１０が、ブロガー端末２０に対して、生成したブロガーＩＤを送信する。
【００５５】
・ステップＡ４
次に、商品販売者装置３０が、広告装置１０に対して、商品販売者の名称と、商品販売者の連絡先と、を送信する。
【００５６】
・ステップＡ５
次に、商品販売者装置３０が、商品販売者ＩＤを生成し、この生成した商品販売者ＩＤ、受信した商品販売者の名称、及び商品販売者の連絡先を、商品販売者テーブルの「ｓｅｌｌｅｒ＿ｉｄ」フィールド、「ｓｅｌｌｅｒ＿ｎａｍｅ」フィールド、及び「ｓｅｌｌｅｒ＿ｃｏｎｔａｃｔ＿ｉｎｆｏｒｍａｔｉｏｎ」フィールドにそれぞれ記憶する。
【００５７】
・ステップＡ６
次に、広告装置１０が、商品販売者装置３０に対して、生成した商品販売者ＩＤを送信する。
【００５８】
・ステップＡ７
次に、商品販売者装置３０が、広告装置１０に対して、商品販売者ＩＤと、商品の名称と、商品サイトのＵＲＬと、を送信する。商品の名称は、商品に関する情報の一例である。
【００５９】
・ステップＡ８
次に、広告装置１０が、商品ＩＤを生成し、この生成した商品ＩＤ、受信した商品の名称、商品販売者ＩＤ、及び商品サイトのＵＲＬを、商品テーブルの「ｇｏｏｄｓ＿ｉｄ」フィールド、「ｇｏｏｄｓ＿ｎａｍｅ」フィールド、「ｓｅｌｌｅｒ＿ｉｄ」フィールド、及び「ｇｏｏｄｓ＿ｓｉｔｅ＿ｕｒｌ」フィールドにそれぞれ記憶する。
【００６０】
・ステップＡ９
次に、広告装置１０が、商品販売者装置３０に対して、生成した商品ＩＤを送信する。
【００６１】
・ステップＡ１０
次に、ブロガー端末２０が、広告装置１０に対して、商品販売者の商品に関する情報を要求する商品情報要求を送信する。
【００６２】
・ステップＡ１１
次に、広告装置１０が、商品テーブルにアクセスし、「ｇｏｏｄｓ＿ｉｄ」フィールドと「ｇｏｏｄｓ＿ｎａｍｅ」フィールドとに記憶されている商品ＩＤと商品の名称とをすべてのレコードから取得する。
【００６３】
・ステップＡ１２
次に、広告装置１０が、ブロガー端末２０に対して、取得した商品ＩＤと商品の名称とを対応付けて（例えばブロガー端末２０においてテーブルで表示されるように）送信する。
【００６４】
・ステップＡ１３
次に、ブロガー端末２０が、広告装置１０に対して、受信した商品ＩＤにより識別される商品についての試供品の配送を要求する試供品配送要求を送信する。この試供品配送要求には、商品ＩＤとブロガーＩＤとが含まれる。
【００６５】
・ステップＡ１４
次に、広告装置１０が、商品テーブルにアクセスし、ブロガー端末２０から受信した試供品配送要求に含まれる商品ＩＤを「ｇｏｏｄｓ＿ｉｄ」フィールドに記憶しているレコードを特定し、特定したレコードの「ｓｅｌｌｅｒ＿ｉｄ」フィールドに記憶されている商品販売者ＩＤを取得する。
【００６６】
・ステップＡ１５
次に、広告装置１０が、商品販売者テーブルにアクセスし、取得した商品販売者ＩＤを「ｓｅｌｌｅｒ＿ｉｄ」フィールドに記憶しているレコードを特定し、特定したレコードの「ｓｅｌｌｅｒ＿ｃｏｎｔａｃｔ＿ｉｎｆｏｒｍａｔｉｏｎ」フィールドに記憶されている商品販売者の連絡先を取得する。
【００６７】
・ステップＡ１６
次に、広告装置１０が、商品販売者装置３０に対して、ブロガー端末２０から受信した商品ＩＤを送信する。この送信は、取得した商品販売者の連絡先に基づいて行われる。
【００６８】
・ステップＡ１７
次に、商品販売者装置３０が、広告装置１０に対して、受信した商品ＩＤにより識別される商品についての試供品をブロガー端末２０のブロガーに対して配送可能か否かを通知する。たとえば、試供品の在庫がある場合に配送可能である旨が通知され、試供品の在庫がない場合に配送不可能である旨が通知される。
【００６９】
・ステップＡ１８
次に、広告装置１０が、商品販売者装置３０からの通知に基づいて、ブロガー端末２０から受信した商品ＩＤにより識別される商品についての試供品を商品販売者装置３０がブロガー端末２０に対して配送可能か否かを判断し、配送可能であればステップＡ２０に進み、配送不可能であればステップＡ１９に進む。
【００７０】
・ステップＡ１９
広告装置１０は、ステップＡ１８にて配送不可能であると判断した場合、ステップＡ１３の試供品配送要求により試供品の配送を要求したブロガー端末２０に対して、配送が不可能であることを通知する配送不可能通知を送信する。
【００７１】
・ステップＡ２０
広告装置１０は、ステップＡ１８にて配送可能であると判断した場合、ブロガーテーブルにアクセスし、ステップＡ１３にてブロガー端末２０から受信した試供品配送要求に含まれるブロガーＩＤを「ｂｌｏｇｇｅｒ＿ｉｄ」フィールドに記憶しているレコードを特定し、特定したレコードの「ｂｌｏｇｇｅｒ＿ｎａｍｅ」フィールド、「ｂｌｏｇｇｅｒ＿ａｄｄｒｅｓｓ」フィールド、「ｂｌｏｇｇｅｒ＿ｐｈｏｎｅ＿ｎｕｍｂｅｒ」フィールドに記憶されているブロガーの氏名、ブロガーの住所、ブロガーの電話番号を取得する。
【００７２】
・ステップＡ２１
次に、広告装置１０は、商品販売者装置３０に対して、取得したブロガーの氏名、ブロガーの住所、ブロガーの電話番号、及びステップＡ１３にてブロガー端末２０から受信した試供品配送要求に含まれる商品ＩＤを送信する。
【００７３】
商品販売者装置３０は、ステップＡ２１にて広告装置１０から受信した商品ＩＤにより識別される商品についての試供品を、ステップＡ２１にて広告装置１０から受信したブロガーの氏名、ブロガーの住所、ブロガーの電話番号に基づいて、ブロガー端末２０のブロガーへ配送する。
【００７４】
・ステップＡ２２
次に、広告装置１０が、ステップＡ１３にてブロガー端末２０から受信した試供品配送要求に含まれるブロガーＩＤ及び商品ＩＤと、広告装置１０のＵＲＬと、を用いて、ステップＡ１３の試供品配送要求により試供品の配送を要求された商品についてのアフィリエイトシールを生成し、ステップＡ１３にてブロガー端末２０から受信した試供品配送要求に含まれるブロガーＩＤ及び商品ＩＤと、生成したアフィリエイトシールとを、アフィリエイトシールテーブルの「ｂｌｏｇｇｅｒ＿ｉｄ」フィールド、「ｇｏｏｄｓ＿ｉｄ」フィールド、及び「ａｆｆｉｌｉａｔｅ＿ｓｅａｌ」フィールドにそれぞれ記憶する。
【００７５】
・ステップＡ２３
そして、広告装置１０が、ステップＡ１３の試供品配送要求により試供品の配送を要求したブロガー端末２０に対して、生成したアフィリエイトシールを送信する。
【００７６】
以上説明した第１の動作例において、広告装置１０は、商品販売者により提供される商品についての試供品の配送を要求することを条件として、試供品の配送を要求された商品についてのアフィリエイトシールをブロガー端末２０に対して提供する。
【００７７】
このため、第１の動作例によれば、ブロガー端末２０は、ブログを構成するＷｅｂページのうち試供品を使用して得た感想を語る記事を記載する領域に、当該記事により感想が語られる商品のアフィリエイトシールを貼り付けることができるようになる。
【００７８】
（第２の動作例）
図９は、本発明の実施形態に係る広告システムの第２の動作例を説明する図である。以下、図９を参照しつつ、本発明の実施形態に係る広告システム１の第２の動作例について説明する。
【００７９】
・ステップＢ１
まず、ブロガー端末２０が、広告装置１０に対して、ブロガー端末２０を利用するブロガーの氏名、電子メールアドレス、住所、電話番号、及び当該ブロガーにより運営されるブログのタイトル、ＵＲＬを送信する。
【００８０】
・ステップＢ２
次に、広告装置１０が、ブロガーＩＤを生成し、この生成したブロガーＩＤと、受信したブロガーの氏名、電子メールアドレス、住所、電話番号、ブログのタイトル、及びＵＲＬを、ブロガーテーブルの「ｂｌｏｇｇｅｒ＿ｉｄフィールド、「ｂｌｏｇｇｅｒ＿ｎａｍｅ」フィールド、「ｂｌｏｇｇｅｒ＿ｅｍａｉｌ」フィールド、「ｂｌｏｇｇｅｒ＿ａｄｄｒｅｓｓ」フィールド、「ｂｌｏｇｇｅｒ＿ｐｈｏｎｅ＿ｎｕｍｂｅｒ」フィールド、「ｂｌｏｇ＿ｔｉｔｌｅ」フィールド、及び「ｂｌｏｇ＿ｕｒｌ」フィールドにそれぞれ記憶する。
【００８１】
・ステップＢ３
次に、広告装置１０が、ブロガー端末２０に対して、生成したブロガーＩＤを送信する。
【００８２】
・ステップＢ４
次に、商品販売者装置３０が、広告装置１０に対して、商品販売者の名称と、商品販売者の連絡先と、を送信する。
【００８３】
・ステップＢ５
次に、商品販売者装置３０が、商品販売者ＩＤを生成し、この生成した商品販売者ＩＤ、受信した商品販売者の名称、及び商品販売者の連絡先を、商品販売者テーブルの「ｓｅｌｌｅｒ＿ｉｄ」フィールド、「ｓｅｌｌｅｒ＿ｎａｍｅ」フィールド、及び「ｓｅｌｌｅｒ＿ｃｏｎｔａｃｔ＿ｉｎｆｏｒｍａｔｉｏｎ」フィールドにそれぞれ記憶する。
【００８４】
・ステップＢ６
次に、広告装置１０が、商品販売者装置３０に対して、生成した商品販売者ＩＤを送信する。
【００８５】
・ステップＢ７
次に、商品販売者装置３０が、広告装置１０に対して、商品販売者ＩＤと、商品の名称と、商品サイトのＵＲＬと、を送信する。商品の名称は、商品に関する情報の一例である。
【００８６】
・ステップＢ８
次に、広告装置１０が、商品ＩＤを生成し、この生成した商品ＩＤ、受信した商品の名称、商品販売者ＩＤ、及び商品サイトのＵＲＬを、商品テーブルの「ｇｏｏｄｓ＿ｉｄ」フィールド、「ｇｏｏｄｓ＿ｎａｍｅ」フィールド、「ｓｅｌｌｅｒ＿ｉｄ」フィールド、及び「ｇｏｏｄｓ＿ｓｉｔｅ＿ｕｒｌ」フィールドにそれぞれ記憶する。
【００８７】
・ステップＢ９
次に、広告装置１０が、商品販売者装置３０に対して、生成した商品ＩＤを送信する。
【００８８】
・ステップＢ１０
次に、ブロガー端末２０が、広告装置１０に対して、商品販売者の商品に関する情報を要求する商品情報要求を送信する。
【００８９】
・ステップＢ１１
次に、広告装置１０が、商品テーブルにアクセスし、「ｇｏｏｄｓ＿ｉｄ」フィールドと「ｇｏｏｄｓ＿ｎａｍｅ」フィールドとに記憶されている商品ＩＤと商品の名称とをすべてのレコードから取得する。
【００９０】
・ステップＢ１２
次に、広告装置１０が、ブロガー端末２０に対して、取得した商品ＩＤと商品の名称とを対応付けて（例えばブロガー端末２０においてテーブルで表示されるように）送信する。
【００９１】
・ステップＢ１３
次に、ブロガー端末２０が、広告装置１０に対して、受信した商品ＩＤにより識別される商品についての試供品の配送を要求する試供品配送要求を送信する。この試供品配送要求には、商品ＩＤとブロガーＩＤとが含まれる。
【００９２】
・ステップＢ１４
次に、広告装置１０が、抽選テーブルにアクセスし、ブロガー端末２０から受信した試供品配送要求に含まれるブロガーＩＤと商品ＩＤとを「ｂｌｏｇｇｅｒ＿ｉｄ」フィールドと「ｇｏｏｄｓ＿ｉｄ」フィールドとにそれぞれ記憶する。
【００９３】
・ステップＢ１５
抽選を行う条件が成立した場合（たとえば、応募期間が終了した場合）、広告装置１０は、抽選テーブルにアクセスし、抽選を行う商品を識別する商品ＩＤが「ｇｏｏｄｓ＿ｉｄ」フィールドに記憶されているレコードを特定し、特定したレコードの中からｎ個のレコードをランダムに抽出し、抽出したレコードの「ｂｌｏｇｇｅｒ＿ｉｄ」フィールドに記憶されているブロガーＩＤを取得する。なお、「ｎ」は、当選の数を示す。
【００９４】
・ステップＢ１６
次に、広告装置１０が、商品テーブルにアクセスし、抽選を行った商品を識別する商品ＩＤを「ｇｏｏｄｓ＿ｉｄ」フィールドに記憶しているレコードを特定し、特定したレコードの「ｓｅｌｌｅｒ＿ｉｄ」フィールドに記憶されている商品販売者ＩＤを取得する。
【００９５】
・ステップＢ１７
次に、広告装置１０が、商品販売者テーブルにアクセスし、取得した商品販売者ＩＤを「ｓｅｌｌｅｒ＿ｉｄ」フィールドに記憶しているレコードを特定し、特定したレコードの「ｓｅｌｌｅｒ＿ｃｏｎｔａｃｔ＿ｉｎｆｏｒｍａｔｉｏｎ」フィールドに記憶されている商品販売者の連絡先を取得する。
【００９６】
・ステップＢ１８
次に、広告装置１０が、ブロガーテーブルにアクセスし、ステップＢ１５で取得したブロガーＩＤを「ｂｌｏｇｇｅｒ＿ｉｄ」フィールドに記憶しているレコードを特定し、特定したレコードの「ｂｌｏｇｇｅｒ＿ｎａｍｅ」フィールド、「ｂｌｏｇｇｅｒ＿ａｄｄｒｅｓｓ」フィールド、「ｂｌｏｇｇｅｒ＿ｐｈｏｎｅ＿ｎｕｍｂｅｒ」フィールドに記憶されているブロガーの氏名、ブロガーの住所、ブロガーの電話番号を取得する。
【００９７】
・ステップＢ１９
次に、広告装置１０が、商品販売者装置３０に対して、取得したブロガーの氏名、ブロガーの住所、ブロガーの電話番号、及び抽選を行った商品を識別する商品ＩＤを送信する。この送信は、ステップＢ１７で取得した商品販売者の連絡先に基づいて行われる。
【００９８】
商品販売者装置３０は、ステップＢ１９にて広告装置１０から受信した商品ＩＤにより識別される商品についての試供品を、ステップＢ１９にて広告装置１０から受信したブロガーの氏名、ブロガーの住所、ブロガーの電話番号に基づいて、ブロガー端末２０のブロガーへ配送する。
【００９９】
・ステップＢ２０
次に、広告装置１０が、広告装置１０のＵＲＬと、ステップＢ１５にて取得したブロガーＩＤと、抽選を行った商品を識別する商品ＩＤとを用いて、ステップＢ１３の試供品配送要求により試供品の配送を要求された商品についてのアフィリエイトシールを生成し、
ステップＢ１５にて取得したブロガーＩＤと、抽選を行った商品を識別する商品ＩＤと、生成したアフィリエイトシールとを、アフィリエイトシールテーブルの「ｂｌｏｇｇｅｒ＿ｉｄ」フィールド、「ｇｏｏｄｓ＿ｉｄ」フィールド、及び「ａｆｆｉｌｉａｔｅ＿ｓｅａｌ」フィールドにそれぞれ記憶する。
【０１００】
・ステップＢ２１
次に、広告装置１０が、ブロガーテーブルにアクセスし、ステップＢ１５で取得したブロガーＩＤを「ｂｌｏｇｇｅｒ＿ｉｄ」フィールドに記憶しているレコードを特定し、特定したレコードの「ｂｌｏｇｇｅｒ＿ｅｍａｉｌ」フィールドに記憶されているブロガーの電子メールアドレスを取得する。
【０１０１】
・ステップＢ２２
次に、広告装置１０が、ブロガー端末２０に対して、当選の通知を送信する。この送信は、ステップＢ２１で取得した電子メールアドレスに基づいて行われる。
【０１０２】
・ステップＢ２３
次に、ブロガー端末２０が、広告装置１０に対して、アフィリエイトシールの送信を要求するアフィリエイトシール要求を送信する。このアフィリエイトシール要求には、ブロガーＩＤと商品ＩＤとが含まれる。
【０１０３】
・ステップＢ２４
次に、広告装置１０が、アフィリエイトシールテーブルにアクセスし、受信したブロガーＩＤと商品ＩＤとを「ｂｌｏｇｇｅｒ＿ｉｄ」フィールドと「ｇｏｏｄｓ＿ｉｄ」フィールドとに記憶しているレコードを特定し、特定したレコードの「ａｆｆｉｌｉａｔｅ＿ｓｅａｌ」フィールドからアフィリエイトシールを取得する。
【０１０４】
・ステップＢ２５
そして、広告装置１０が、ブロガー端末２０に対して、取得したアフィリエイトシールを送信する。
【０１０５】
以上説明した第２の動作例において、広告装置１０は、商品販売者により提供される商品についての試供品の配送を要求することを条件として、試供品の配送を要求された商品についてのアフィリエイトシールをブロガー端末２０に対して提供する。
【０１０６】
このため、第２の動作例によれば、ブロガー端末２０は、ブログを構成するＷｅｂページのうち試供品を使用して得た感想を語る記事を記載する領域に、当該記事により感想が語られる商品のアフィリエイトシールを貼り付けることができるようになる。
【０１０７】
［アフィリエイトシール］
次に、アフィリエイトシールについて説明する。
【０１０８】
（ハイパーリンク）
広告装置１０は、たとえば、広告装置１０のＵＲＬ、ブロガーＩＤ、及び商品ＩＤを含むハイパーリンクとしてアフィリエイトシールを生成することができる。
【０１０９】
このようなハイパーリンクとして生成されたアフィリエイトシールは、ユーザ端末４０によりクリックされた場合、広告装置１０のＵＲＬに基づいて、ユーザ端末４０に、ブロガーＩＤ及び商品ＩＤを広告装置１０へ送信させる。
【０１１０】
この場合、広告装置１０は、ユーザ端末４０から受信したブロガーＩＤと商品ＩＤとを対応付けて記憶するとともに、ユーザ端末４０へ商品販売者装置３０のＵＲＬを送信し、ユーザ端末４０を商品販売者装置３０にアクセスさせる。
【０１１１】
（イメージタグ）
また、広告装置１０は、たとえば、広告装置１０のＵＲＬ、ブロガーＩＤ、及び商品ＩＤを含むイメージタグとしてアフィリエイトシールを生成することができる。
【０１１２】
このようなイメージタグとして生成されたアフィリエイトシールは、広告装置１０のＵＲＬに基づいて、アフィリエイトシールが貼られたＷｅｂページを受信したユーザ端末４０に、ブロガーＩＤ及び商品ＩＤを広告装置１０へ送信させる。
【０１１３】
この場合、広告装置１０は、ユーザ端末４０から受信したブロガーＩＤと商品ＩＤとを対応付けて記憶するとともに、ユーザ端末４０へ例えば１ピクセル×１ピクセルの極めて小さい画像を送信する。
【０１１４】
（スクリプト）
また、広告装置１０は、たとえば、広告装置１０のＵＲＬ、ブロガーＩＤ、及び商品ＩＤを含むスクリプトとしてアフィリエイトシールを生成することができる。「スクリプト」は、Ｗｅｂブラウザにより実行されるプログラムである。
【０１１５】
このようなスクリプトとして生成されたアフィリエイトシールは、広告装置１０のＵＲＬに基づいて、アフィリエイトシールが貼られたＷｅｂページを受信したユーザ端末４０に、ブロガーＩＤ及び商品ＩＤを広告装置１０へ送信させる。
【０１１６】
この場合、広告装置１０は、ユーザ端末４０から受信したブロガーＩＤと商品ＩＤとを対応付けて記憶し、ユーザ端末４０へは何も送信しない。
【０１１７】
このように、アフィリエイトシールは、ハイパーリンク、イメージタグ、又はスクリプトなどにより生成することができるが、いずれの形態で生成する場合であっても、ユーザ端末４０がユーザＩＤを有している場合は、ユーザ端末４０が、ブロガーＩＤ及び商品ＩＤとともにユーザＩＤを広告装置１０へ送信し、広告装置１０が、受信したユーザＩＤをブロガーＩＤと商品ＩＤとに対応付けて記憶する。
【０１１８】
また、ユーザ端末４０がユーザＩＤを有していない場合は、広告装置１０が、ユーザＩＤを生成し、生成したユーザＩＤをブロガーＩＤと商品ＩＤとに対応付けて記憶する。この場合、広告装置１０は、生成したユーザＩＤをユーザ端末４０へ送信する。
【０１１９】
以上説明したアフィリエイトシールによれば、広告装置１０は、ブロガーＩＤと商品ＩＤとユーザＩＤとを対応付けて記憶手段１４に記憶することができるため、どのブロガーのどの商品に関する記事がどのユーザにより閲覧されたかを特定することが可能になる。
【０１２０】
したがって、商品販売者装置３０の商品サイトを構成する商品紹介ページや商品購入完了ページなどに、広告装置１０のＵＲＬと商品ＩＤとを含むイメージタグやスクリプトなどを貼り付け、商品紹介ページや商品購入完了ページなどを受信したユーザ端末４０に、広告装置１０のＵＲＬに基づいて、商品ＩＤとユーザＩＤとを広告装置１０へ送信させることにより、広告装置１０は、この受信した商品ＩＤとユーザＩＤとに対応付けて記憶されているブロガーＩＤを記憶手段１４から取得できるようになり（記憶手段１４には、アフィリエイトシールにより、ブロガーＩＤと商品ＩＤとユーザＩＤとがすでに対応付けて記憶されている。）、あるユーザによるある商品の購入などに貢献した記事がどのブロガーの記事であるのかを特定して、このブロガーに報酬を支払うことができるようになる。
【０１２１】
なお、広告装置１０は、上記の構成において、受信した商品ＩＤとユーザＩＤとに対応付けて記憶されているブロガーＩＤが記憶手段１４に複数存在する場合、最後に記憶されたブロガーＩＤを特定し、この最後に記憶されたブロガーＩＤにより識別されるブロガーに報酬を支払うようにすることが好ましい。
【０１２２】
以上説明したように、アフィリエイトシール（ハイパーリンクなど）は、ブロガー端末２０のブログに掲載された記事を閲覧しているユーザ端末４０を広告装置１０を経由して商品販売者装置３０へアクセスさせる。
【０１２３】
また、アフィリエイトシール（イメージタグ、スクリプトなど）は、ブロガー端末２０のブログに掲載された記事を閲覧しているユーザ端末４０を、画面遷移を生じさせることなく広告装置１０へアクセスさせる。
【０１２４】
なお、本発明では、ユーザ端末４０を広告装置１０以外の装置を経由して商品販売者装置３０へアクセスさせるように構成することもできるし、ユーザ端末４０を画面遷移を生じさせることなく広告装置１０以外の装置へアクセスさせるように構成することもできる。この場合は、「広告装置１０以外の装置」が、上記した広告装置１０の処理を行う。
【０１２５】
なお、イメージタグやスクリプトなどとしてアフィリエイトシールを生成する場合は、ブロガー端末２０のブロガーに対して、アフィリエイトシールがクリックされたかどうかとは無関係に報酬が支払われる。
【０１２６】
したがって、イメージタグやスクリプトなどとしてアフィリエイトシールを生成すれば、報酬を得るためにはクリックさせなければならないというプレッシャーからブロガーを解き放つことができ（クリックからの解放）、ブロガーが商品に対する本音をより一層語ることができるようになる。
【０１２７】
以上説明した本発明の実施形態によれば、ブログの体裁やニュアンスなどをブロガーの意図したものとしつつも、商品のアフィリエイトシールを当該商品を使用した感想を語る記事とともにブログに掲載することができるようになる。
【０１２８】
また、本発明の実施形態によれば、たとえば、バズ広告やバイラルマーケティングなどのような効果を測定することが困難とされている広告システムにおいて、ブロガーの記事を確かなコンバージョンへと繋げることができるようになる。
【０１２９】
また、本発明の実施形態によれば、たとえば、バズ広告やバイラルマーケティングなどのような効果を測定することが困難とされている広告システムにおいて、ブロガーの記事のコンバージョン率を測定できるようになる。
【０１３０】
なお、上記の説明では、ブロガー端末２０が、氏名や住所などのデータをあらかじめ広告装置１０に登録し、広告装置１０が、このあらかじめ登録されたデータを商品販売者装置３０へ送信する構成について説明した。
【０１３１】
しかしながら、本発明では、広告装置１０が、商品販売者装置３０への送信が必要となった段階で、ブロガー端末２０に対して氏名や住所などのデータの広告装置１０への登録を要求するように構成してもよい。
【０１３２】
また、上記の説明では、商品販売者端末３０からブロガー端末２０のブロガーへ試供品を配送する場合について説明したが、本発明では、広告装置１０からブロガー端末２０のブロガーへ試供品を配送するように構成してもよい。
【０１３３】
また、本発明においては、商品販売者により提供される商品についての試供品の配送を要求するという条件以外に条件を設けないようにすることができる。この場合は、配送は要求したが実際には試供品が配送されないブロガー端末（在庫がない場合のブロガー端末や当選に外れたブロガー端末など）に対しても、アフィリエイトシールを提供することができる。
【０１３４】
しかしながら、本発明においては、上記で説明した本発明の実施形態のように、商品販売者により提供される商品についての試供品の配送を要求するという条件に対して、商品販売者により提供される商品についての試供品が実際に配送されるという条件を加え、商品販売者により提供される商品についての試供品の配送を要求したブロガー端末であって、商品販売者により提供される商品についての試供品が実際に配送されるブロガー端末に対してのみ、アフィリエイトシールを提供することが好ましい。
【０１３５】
このようにすれば、商品販売者は、実際の使用に基づかないいい加減な記事をネットワークから排除して、ブロガーの生の声（商品を実際に使用してみた感想など）をより一層効率的に広めていくことが可能となる。
【実施例１】
【０１３６】
実施例１として、本発明の実施形態に係る広告システム１によりハイパーリンクとして生成されたアフィリエイトシールを提供する場合について検討する。
【０１３７】
実施例１では、「巷で話題の○○商品を使用してみました。とても使い心地がよかったです。お世辞ではなく、とてもよく考えられている商品であると思いました。もしよければ、クリックしてみてください。」との記事がブログに掲載されるものとする。そして、ブロガーによって、この記事が記載された領域と同じ領域における記事の直下に、ハイパーリンクとして生成されたアフィリエイトシールが貼り付けられるものとする。
【実施例２】
【０１３８】
実施例２として、本発明の実施形態に係る広告システム１によりイメージタグとしてアフィリエイトシールを提供する場合について検討する。
【０１３９】
実施例２では、「巷で話題の○○商品を使用してみました。とても使い心地がよかったです。お世辞ではなく、とてもよく考えられている商品であると思いました。」との記事がブログに掲載されるものとする。そして、ブロガーによって、この記事が記載された領域と同じ領域における記事の直下に、イメージタグとして生成されたアフィリエイトシールが貼り付けられるものとする。また、このイメージタグは、ユーザ端末のユーザの目につかない極めて小さな画像（１ピクセル×１ピクセルの画像など）を提供するものとする。
【０１４０】
［比較例１］
比較例１として、ネットワーク上の装置がブロガーの記事に対してアフィリエイトシールを追加する形態について検討する。
【０１４１】
比較例１は、「巷で話題の○○商品を使用してみました。とても使い心地がよかったです。お世辞ではなく、とてもよく考えられている商品であると思いました。」との記事がブログに掲載されるものとする。ただし、この記事の直下に、記事全文と同程度の大きさで描かれたバナータイプの「いますぐクリック。クリック！クリック！」というアフィリエイト用のリンクが追加されるものとする。
【０１４２】
［比較例２］
比較例２として、商品販売者により提供される商品についての試供品の配送を要求することを条件とせずにアフィリエイトシールを提供する場合について検討する。
【０１４３】
比較例２では、商品のアフィリエイトシールを誰でも入手できる。
【０１４４】
［比較］
比較例１では、記事の直下に、記事全文と同程度の大きさで描かれたバナータイプの「いますぐクリック。クリック！クリック！」とのアフィリエイト用のリンクが追加される。このため、ブログがあからさまに広告の色彩を帯びることになり、記事の信憑性やブロガーの評判を落とす可能性がある。
【０１４５】
また、比較例２では、商品のアフィリエイトシールを誰でも入手できるため、普通のアフィリエイトプログラムになってしまう。これでは、実際の使用に基づかないいい加減な記事が蔓延し、商品販売者がブロガーの生の声（商品を実際に使用してみた感想など）を効率的に広めていくことが困難となる。
【０１４６】
これらの比較例に対し、本発明の実施例１では、ブロガーが、アフィリエイトシールの貼り付けの可否、貼り付け方、貼り付ける場所などを自己の意思により決定する。
【０１４７】
したがって、本発明の実施例１によれば、ブロガーの評判を落とすことがない。また、本発明の実施例１によれば、商品販売者は、実際の使用に基づかないいい加減な記事をネットワークから排除して、ブロガーの生の声（商品を実際に使用してみた感想など）を効率的に広めていくことが可能となる。
【０１４８】
また、本発明の実施例２によれば、アフィリエイトシールは、ユーザ端末４０のユーザの目に付くことがない。
【０１４９】
また、本発明の実施例２によれば、ブロガー端末２０のブロガーに対して、アフィリエイトシールがクリックされたかどうかとは無関係に報酬が支払われる。
【０１５０】
したがって、本発明の実施例２によれば、ブロガーは、報酬を得るためにはクリックさせなければならないというプレッシャーから解放され（クリックからの解放）、「もしよければ、クリックしてみてください。」などという余計な下心に悩まされることなく、商品に対する本音をより一層語ることができるようになる。
【０１５１】
以上、本発明の実施形態及び実施例について説明したが、これらの説明は、本発明の一
例に関するものであり、本発明は、これらの説明によって何ら限定されるものではない。
【符号の説明】
【０１５２】
１    広告システム
１０    広告装置
１１    ＣＰＵ
１２    ＲＡＭ
１３    ＲＯＭ
１４    記憶手段
１５    ネットワークインタフェースカード（ＮＩＣ）
２０    ブロガー端末
３０    商品販売者装置
４０    ユーザ端末
５０    Ｗｅｂサーバ
【図１】
2011237892.tif 000003
【図２】
2011237892.tif 000004
【図３】
2011237892.tif 000005
【図４】
2011237892.tif 000006
【図５】
2011237892.tif 000007
【図６】
2011237892.tif 000008
【図７】
2011237892.tif 000009
【図８】
2011237892.tif 000010
【図９】
2011237892.tif 000011